(57)【要約】【課題】  テレビ等を浴室の壁面から一定距離離して、意匠性を高めて設置でき、しかも施工時等に安全が確保される浴室用部材の設置構造を提供する。【解決手段】  浴室の壁面１から一定距離離して上下のフレーム３、４に支持させて、前面プレート６にテレビ７を面一状に固定して設置し、前面プレート６を傾けた時にも倒れを防止する脱落防止紐９を予め壁面１のフック１２ａに接続して、施工時及び使用時の倒れを良好に防止する。【選択図】  図４
2006094977.tif 000002
【特許請求の範囲】
【請求項１】
浴室内に壁面から一定距離離して上下のフレームに支持させて設置される部材には、予め脱落防止部材が設けられ、該脱落防止部材が、前記壁面あるいは壁面と堅牢につながった部材に接続可能に構成されていることを特徴とする浴室用部材の設置構造。
【請求項２】
浴室内に壁面から一定距離離して上下のフレームに支持させて、プレートと面一にテレビを設置したことを特徴とする浴室用部材の設置構造。
【請求項３】
前記テレビの配線を通す可撓管部材を設け、該可撓管部材で前記テレビの内部と前記壁面の壁貫通穴とを連通させたことを特徴とする請求項２に記載の浴室用部材の設置構造。
【請求項４】
前記テレビを前記プレートに固定するとともに、該プレートには脱落防止部材を設け、該脱落防止部材が前記壁面あるいは壁面と堅牢につながった部材に接続可能に構成されていることを特徴とする請求項２または請求項３に記載の浴室用部材の設置構造。
【発明の詳細な説明】
【技術分野】
【０００１】
本発明は、鏡やテレビ等の浴室用部材の設置構造に関するものである。
【背景技術】
【０００２】
従来、例えば特許文献１に開示されているように、テレビ装置付リモコン等を浴室壁に直接ネジ止めする設置構造が存在する。
【特許文献１】特開平９−３１８０５６号公報
【発明の開示】
【発明が解決しようとする課題】
【０００３】
上記のように浴室壁に直接ネジ止めする構造では、テレビが壁側の遠い位置にありテレビが見難く、また設置状態の意匠性が悪く、さらに、壁に固定する施工時等にテレビ等が倒れ易く、施工がし辛い等の問題点があった。
【課題を解決するための手段】
【０００４】
本発明は上記従来の問題点に鑑み案出したものであって、倒れを防いで容易に壁面に施工することができ、また意匠性にも優れた浴室用部材の設置構造を提供するものであり、その請求項１は、浴室内に壁面から一定距離離して上下のフレームに支持させて設置される部材には、予め脱落防止部材が設けられ、該脱落防止部材が、前記壁面あるいは壁面と堅牢につながった部材に接続可能に構成されていることである。
【０００５】
また請求項２は、浴室内に壁面から一定距離離して上下のフレームに支持させて、プレートと面一にテレビを設置したことである。
【０００６】
また請求項３は、前記テレビの配線を通す可撓管部材を設け、該可撓管部材で前記テレビの内部と前記壁面の壁貫通穴とを連通させたことである。
【０００７】
また請求項４は、前記テレビを前記プレートに固定するとともに、該プレートには脱落防止部材を設け、該脱落防止部材が前記壁面あるいは壁面と堅牢につながった部材に接続可能に構成されていることである。
【発明の効果】
【０００８】
本発明の浴室用部材の設置構造では、浴室内に壁面から一定距離離して上下のフレームに支持させて設置される部材が壁面への施工時に脱落防止部材で支えられているため、倒れることがなく安全に施工することができ、また使用中においても、脱落防止部材により倒れが防がれるため、設置状態が安全なものとなる。
【０００９】
また、浴室内に壁面から一定距離離して上下のフレームに支持させて、プレートと面一にテレビを設置したことにより、プレートと面一状態にテレビをすっきりとした状態で意匠性を向上させて浴室内に設置することができ、また、壁から離して見易い位置に設置できるものとなる。
【００１０】
また、テレビの配線を通す可撓管部材を設け、可撓管部材でテレビの内部と壁面の壁貫通穴とを連通させたことにより、可撓管部材により良好に止水処理を行うことができ、テレビを浴室の壁面から離した位置に良好に設置できるものとなる。
【００１１】
また、テレビをプレートに固定するとともに、プレートには脱落防止部材を設け、脱落防止部材が壁面あるいは壁面と堅牢につながった部材に接続可能に構成されていることにより、テレビを予めプレートに固定し、面一状にして意匠性を高めることができ、また脱落防止部材で倒れを防いで、安全に施工及び使用ができるものとなる。
【実施例】
【００１２】
以下、本発明の実施例を図面に基づいて説明する。
図１は、浴室の壁面１から一定距離離してテレビを設置した状態の斜視構成図である。
図１において、壁面１には前面側が開放された箱状の外ケース２が固設され、この外ケース２の前面側上端には、水平状に上下動可能な上フレーム３が設けられており、また外ケース２の前面の下端には、固定状に水平な下フレーム４が設けられている。
この下フレーム４と上フレーム３間に挟まれた状態で、鏡５，５が設けられ、左端側には鏡５，５と面一状に、フィルム鏡またはステンレス鏡で構成された前面プレート６が設けられており、この前面プレート６の中央部には、テレビ７が面一状に固定されている。
【００１３】
このテレビ７は、図５の分解斜視図で示すような部材により組み付けられたものとなっており、図５において、前面プレート６の中央部には、テレビ７を面一状に嵌め込むための開口６ａが貫通形成されており、前面プレート６の裏側の開口６ａの左右には、縦方向に補強材６ｂ，６ｂが設けられている。
【００１４】
また、前面プレート６の裏側には、テレビ固定用プレート８が配設され、このテレビ固定用プレート８は、テレビ７の背面を当接させてビスで取り付ける本体片８ａの左右両端側に、前方側へ段状に固定片８ｂ，８ｂが設けられており、この固定片８ｂ，８ｂを前面プレート６の裏側の補強材６ｂ，６ｂにビスで固定できるように構成されている。
即ち、予めテレビ７をテレビ固定用プレート８の本体片８ａにビスで固定しておき、本体片８ａに貫通形成されている通し孔８ｃ内にテレビの配線１３を通しておき、この状態で固定片８ｂを介し、テレビ固定用プレート８を前面プレート６の裏側にビスで固定して、前面プレート６に面一状にテレビ７を固定することができるものである。
【００１５】
また、テレビ用の配線１３を通す可撓管１０が用いられ、この可撓管１０の前端及び後端には、それぞれ前フランジ１０ａと後フランジ１０ｂが一体形成されており、前フランジ及び後フランジ１０ａ，１０ｂは、それぞれゴム製等で構成されて、前フランジ１０ａを予めテレビ固定用プレート８の通し孔８ｃに前方側へ通して、前フランジ１０ａをテレビ固定用プレート８の本体片８ａの前面に当接させて、可撓管１０を取り付けておくことができるものである。
また、可撓管１０の後フランジ１０ｂは、貫通穴用プレート１１に形成された孔１１ａに通して、貫通穴用プレート１１の裏面に、この後フランジ１０ｂを当接させて取り付けておくことができるものである。
【００１６】
図３の縦断面拡大構成図で示すように、この貫通穴用プレート１１は、予め浴室の壁面１に貫通状に形成された貫通穴１ａの室内側にビスで取り付け固定でき、この時に可撓管１０の後フランジ１０ｂが貫通穴１ａの室内側外周に当接して、良好に水密性を確保して貫通穴１ｂに取り付けられるものである。
なお、図中１２はフック１２ａを備えたフック板であり、このフック板１２は貫通穴用プレート１１の上方等に壁面１にビスで予め取り付け固定されるものである。
なお、可撓管１０は相当の長さを有するものであり、図３に示すように、外ケース２内で十分に撓みが生ずるように余裕を持った長さに設定されている。
【００１７】
なお、図２の斜視図で、また図４の縦断面拡大構成図で示すものは、施工時に前面プレート６を傾けた状態を示しており、前述した如く、テレビ７をテレビ固定用プレート８を介して前面プレート６に取り付け、前面プレート６を下フレーム４上に載せた状態で、上フレーム３を上方へ移動させて、前面プレート６を傾かせた時に、一定の角度よりも前方へ倒れないように、前述した如く壁面１に固定されているフック板１２のフック１２ａに、予め脱落防止紐９を引っ掛けておくのである。
この脱落防止紐９は、テレビ固定用プレート８に連結されていても、また前面プレート６の背面に連結されていても良く、更にはテレビ７に連結されていても良い。
【００１８】
このように、脱落防止紐９を予めフック板１２のフック１２ａに掛止させておけば、図４のように、貫通穴１ａの室内側に貫通穴用プレート１１をビスで固定する施工時にも、前面プレート６が倒れることが防がれて、容易に施工を行うことができるものとなる。
その後に、前面プレート６を垂直状態にして、上フレーム３を下方へ移動させて、前面プレート６の上端を上フレーム３で係止させて、垂直に前面プレート６を固定することができるものである。
【００１９】
なお、可撓管１０は図４のように、前面プレート６が倒れた状態でも、余裕のある長さに設定されていれば、可撓管１０にストレスがかかることもなく、テレビ７の内部と貫通穴１１ａの外側の外気等をこの可撓管１０で良好に連通し、しかも水密性を確保できるものである。
【００２０】
なお、図２に示すように、鏡５，５の裏側にも予め脱落防止紐９を取り付けておけば、使用時等に上フレーム３が上方へずれたような時でも、鏡５が倒れることが脱落防止紐９により良好に防がれて、極めて安全な設置状態が得られるものである。
本例では、前面プレート６に予め面一状にテレビ７が取り付けられているため、極めてすっきりとした設置状態が得られ、しかも外ケース２の分だけ壁面１から一定距離離した室内側に設置されるため、テレビ７を入浴中等に見易いものとなり、また鏡５が室内側に出ているため、顔を近づけて良好に使用できるものとなり、全体の意匠性が向上されるものである。
【００２１】
次に、図６は別例を示す設置状態の縦断面構成図である。
図６では、外ケース２の前面側の下フレーム４と上フレーム３間に、前面プレート６が取り付けられており、テレビ７は、別体のテレビ台座１４を介して壁面１にビス固定されたものである。
この場合も、外ケース２の寸法とテレビ台座１４の寸法を良好に設定することで、前面プレート６とテレビ７を面一状にして、壁面１から一定距離離して設置することができるものとなり、設置状態が極めてすっきりとしたものとなり、しかもテレビ７が見易い位置に配置されるものとなる。
【図面の簡単な説明】
【００２２】
【図１】テレビを前面プレートと面一状にして壁面から一定距離離して設置した状態の斜視構成図である。
【図２】施工時等に前面プレートを傾けた状態の斜視構成図である。
【図３】図１の縦断面拡大構成図である。
【図４】図２の傾けた状態の縦断面拡大構成図である。
【図５】テレビを前面プレートに取り付けるための部材の分解斜視図である。
【図６】別例を示し、テレビを前面プレートと面一状に壁面から一定距離離して設置した状態の縦断面構成図である。
【符号の説明】
【００２３】
１  壁面
１ａ  貫通穴
２  外ケース
３  上フレーム
４  下フレーム
５  鏡
６  前面プレート
６ａ  開口
６ｂ  補強材
７  テレビ
８  テレビ固定用プレート
８ａ  本体片
８ｂ  固定片
８ｃ  通し孔
９  脱落防止紐
１０  可撓管
１０ａ  前フランジ
１０ｂ  後フランジ
１１  貫通穴用プレート
１１ａ  孔
１２  フック板
１２ａ  フック
１３  配線
１４  テレビ台座
【図１】
2006094977.tif 000003
【図２】
2006094977.tif 000004
【図３】
2006094977.tif 000005
【図４】
2006094977.tif 000006
【図５】
2006094977.tif 000007
【図６】
2006094977.tif 000008